(57)【要約】【課題】テープを廃棄処分することなく、有効利用を可能とする、インドアコート用ラインテープを提供する。【解決手段】  インドア施設の床面に敷設するスポーツのための区画線用の粘着性を有しないラインテープであって、対応スポーツのコートを区画するために必要な本数の第１縦ラインテープ１１、第２縦ラインテープ１２、第３縦ラインテープ１３と、第１横ラインテープ２１、第２横ラインテープ２２、第３横ラインテープ２３、第４横ラインテープ２４、第５横ラインテープ２５とを有し、かつ、各ラインテープが必要な長さにカットされ、他のラインテープとの重ね合わせ箇所（ａ、ｂ、ｃ、ｄ、ｅ）に、重ね合わせ箇所別の目印が形成されている【選択図】図１
0003201293.tif 000002
【実用新案登録請求の範囲】
【請求項１】
インドア施設の床面に敷設するスポーツのための区画線用の粘着性を有しないラインテープであって、対応スポーツのコートを区画するために必要な本数のラインテープを有し、かつ、各ラインテープが必要な長さにカットされており、さらに、他のラインテープとの重ね合わせ箇所に、重ね合わせ箇所別の目印として、番号シールが貼られていることを特徴とする、インドアコート用ラインテープ。
【考案の詳細な説明】
【技術分野】
【０００１】
本考案は、インドアコート用ラインテープに関し、詳細にはインドア施設の床面に区画線を必要とするバレーボール等のスポーツを行う際に使用するインドアコート用ラインテープに関する。
【背景技術】
【０００２】
体育館や公民館等の施設で、バレーボール、バスケットボール、バトミントン、フットサル等のスポーツを行う際には、床面にコートを表示するために区画線の敷設作業が行われている。
そして、スポーツ終了後には区画線の剥離作業が行われている。
この際、区画線として、一般的に粘着性を有するラインテープが用いられている。
【０００３】
インドアコート用ラインテープに関し、特許文献１には、インドア用ラインテープ巻き取り器具が記載されている。
該インドア用ラインテープ巻き取り器具は、手軽な器具横造によってラインテープの巻き取りを敏速に且つ速やかに操作可能にするものであり、一本のパイプ中央部を８０ｍｍＲに曲げてハンドルとして、ハンドル両先端に本体となるドラムを組み付け、更に巻き取りと同時に清掃を行う様に器具を取り付けて手押し車を押す時の様にして、ドラムを進行方向に向かって回転させながらラインテープを巻き取る仕組としたものである。
【０００４】
なお、２０１５年１０月に公式な大会が始めて開催されるキッズバレーボールの使用に特に適した、インドアコート用ラインテープは存在しない。
【考案の概要】
【考案が解決しようとする課題】
【０００５】
キッズバレーボールのコートは、全体が８．０８×５．１８メートルの長方形状で、一区画が２．０２×２．５９メートルに８分割されたものである。
この際、コートの長手方向区画用に８．０８メートルの縦ラインが３本必要であり、短手方向区画用に５．１８メートルの横ラインが５本必要となる。
【０００６】
ここで、コートを表示するために区画線の敷設作業を粘着性のあるテープで行ない、競技や練習終了後には、テープを剥がして廃棄処分することが一般的であった。
【０００７】
従って、テープを廃棄処分することなく、有効利用を可能とする、インドアコート用ラインテープが望まれていた。
【課題を解決するための手段】
【０００８】
本考案の課題を解決するための手段は、下記のとおりである。
【０００９】
第１に、インドア施設の床面に敷設するスポーツのための区画線用の粘着性を有しないラインテープであって、対応スポーツのコートを区画するために必要な本数のラインテープを有し、かつ、各ラインテープが必要な長さにカットされていることを特徴とする、インドアコート用ラインテープ。
第２に、他のラインテープとの重ね合わせ箇所に、重ね合わせ箇所別の目印が形成されていることを特徴とする、上記第１に記載のインドアコート用ラインテープ。
目印としては、テープに直接にマークな色等をペイントすることで行う他に、目印用のシール材を貼り付けることでも形成することができる。
第３に、目印が、番号シールによるものである、上記第２に記載のインドア用ラインテープ。
【考案の効果】
【００１０】
本考案によれば以下の効果を奏することができる。
【００１１】
設置の際には、ラインテープの必要箇所を、透明なシール材を貼り付けて固定し、競技終了後はシール材を剥がして処分し、ラインテープを回収して再利用するので、テープを廃棄処分することなく、有効利用を可能とすることができる。
また、重ね合わせ箇所に目印を形成したものは、設置の際に、ラインテープの目印箇所を重ね合わせて、その上から粘着性を有する透明シール材を貼り付けることで作業が完了するので、作業に戸惑うことなく、容易に作業を行う事が可能となる。
特に、目印として、番号シールを用いたものは、番号順に貼り付けることで作業が完了するので、マニュアル等を読まなくても誰でも簡単に設置作業を行うことができる。
【図面の簡単な説明】
【００１２】
【図１】本考案のインドアコート用ラインテープの使用状態を示す説明図である。
【図２】図１の使用状態の平面図である。
【図３】図２に示すラインテープのみを示す平面図である。
【図４】目印が番号シートの一例の説明図である。
【考案を実施するための形態】
【００１３】
以下、本考案を実施するための形態を、図面を参照しつつ具体的に説明する。
ここで、添付図面において同一の部材には同一符号を付しており、また重複した説明は省略されている。
なお、ここでの説明は本考案が実施される一形態であることから、本考案は該当形態に限定されるものではない。
【００１４】
本実施形態では、２０１５年１０月に公式な大会が始めて開催されるキッズバレーボールのコートを表示するために区画線に用いるインドアコート用ラインテープについて説明する。
なお、該インドアコート用ラインテープは、６人制の他に９人制のルールでも対応可能なものである。
キッズバレーボールのコートは、図１や図２に示すように、全体が８．０８×５．１８メートルの長方形状で、一区画が２．０２×２．５９メートルに８分割されたものである。
【００１５】
従って、図３に示すように、コートの長手方向区画用に８．０８メートルの縦ラインを３本準備し、短手方向区画用に５．１８メートルの横ラインを５本準備する。
すなわち、第１縦ラインテープ１１、第２縦ラインテープ１２、第３縦ラインテープ１３による３本の縦ラインテープと、第１横ラインテープ２１、第２横ラインテープ２２、第３横ラインテープ２３、第４横ラインテープ２４、第５横ラインテープ２５による５本の横ラインテープを準備する。
【００１６】
ここで、第１縦ラインテープ１１、第２縦ラインテープ１２、第３縦ラインテープ１３における横ラインテープ同士の重ね合わせ箇所を示すａ、ｂ、ｃ、ｄ、ｅ（図１及び図２参照）には、順に、第１番号シール３１、第２番号シール３２，第３番号シール３３、第４番号シール３４、第５番号シール３５が目印として貼り付けられている。
また、第１横ラインテープ２１、第２横ラインテープ２２、第３横ラインテープ２３、第４横ラインテープ２４、第５横ラインテープ２５について、各横ラインテープの両端部及び中間部には、順に、第１番号シール３１、第２番号シール３２，第３番号シール３３、第４番号シール３４、第５番号シール３５が目印として貼り付けられている。
【００１７】
次に、上記ラインテープを用いて、キッズバレーボールのコートを作成するために、区画線の敷設作業を行う手順の一例について説明するが、この手順に限定されるものではない。
【００１８】
始めに、第１縦ラインテープ１１と第３縦ラインテープ１３とを床面に仮置きした後に、各テープの両端部を、透明保護シール材（図示は省略）を貼り付けることで保護する。
そして、透明保護シール材の上に、第１横ラインテープ２１と第５横ラインテープ２５を各々仮置きする。
【００１９】
この際、第１縦ラインテープ１１と第１横ラインテープ２１との重ね合わせ箇所ａは、第１縦ラインテープ１１の第１番号シール３１と、第１横ラインテープ２１の第１番号シール３１とを重ね合わせることで位置を調整する。
また、第３縦ラインテープ１３と第１横ラインテープ２１との重ね合わせ箇所ａは、第３縦ラインテープ１３の第１番号シール３１と、第１横ラインテープ２１の第１番号シール３１とを重ね合わせることで位置を調整する。
【００２０】
同様に、第１縦ラインテープ１１と第５横ラインテープ２５との重ね合わせ箇所ｅは、第１縦ラインテープ１１の第５番号シール３５と、第５横ラインテープ２５の第５番号シール３５とを重ね合わせることで位置を調整する。
また、第３縦ラインテープ１３と第５横ラインテープ２５との重ね合わせ箇所ｅは、第３縦ラインテープ１３の第５番号シール３５と、第５横ラインテープ２５の第５番号シール３５とを重ね合わせることで位置を調整する。
【００２１】
各重ね合わせ個所（ａ、ｅ）における位置調整の終了後、該重ね合わせ箇所（ａ、ｅ）を保護し、各テープの位置がずれないようにするために、該重ね合わせ個所（ａ、ｅ）の上から更に透明保護シール材（図示は省略）を貼り付ける。
【００２２】
次に、第２縦ラインテープ１２を、第１横ラインテープ２１の中間部の第１番号シール３１の個所と位置を合わせ、他端側では第５横ラインテープ２５の中間部の第５番号シール３５の個所と位置を合わせて調整した後に、上から透明保護シール材（図示は省略）を貼り付ける。
【００２３】
残りの３本の横ラインテープも同様に、重ね合わせ個所を番号シールによって位置を合わせて調整した後に、上から透明保護シール材（図示は省略）を貼り付ける。
【００２４】
なお、透明保護シール材（図示は省略）を貼り付ける個所は、重ね合わせ個所に限らず、必要と思われる個所に貼り付けることで、広い範囲で保護することが可能となる。
【００２５】
上記のように、設置の際には、ラインテープの必要箇所を、透明保護シール材を貼り付けて固定する。
競技終了後、透明保護シール材を剥がして処分する。
この際、各ラインテープは回収し、再利用に備えて折り畳んだり、ロール状物に巻き付けたりして撤収することで、ラインテープを廃棄処分することなく、有効利用が可能となる。
【００２６】
また、重ね合わせ箇所に番号シールによる目印を形成したものは、設置の際に、ラインテープの目印箇所を番号順に重ね合わせて、その上から粘着性を有する透明保護シール材を貼り付けることで作業が完了するので、マニュアル等を読まなくても作業に戸惑うことなく、容易に作業を行う事が可能となり、誰でも簡単に設置作業を行うことができる。
【符号の説明】
【００２７】
１１  第１縦ラインテープ
１２  第２縦ラインテープ
１３  第３縦ラインテープ
２１  第１横ラインテープ
２２  第２横ラインテープ
２３  第３横ラインテープ
２４  第４横ラインテープ
２５  第５横ラインテープ
３１  第１番号シール
３２  第２番号シール
３３  第３番号シール
３４  第４番号シール
３５  第５番号シール
【先行技術文献】
【特許文献】
【００２８】
【特許文献１】特開２００５−２７９２３３号公報
【図１】
0003201293.tif 000003
【図２】
0003201293.tif 000004
【図３】
0003201293.tif 000005
【図４】
0003201293.tif 000006